(57)【特許請求の範囲】
【請求項１】
取引デ−タを保持するセンタ装置と，取引を受け付ける、１以上の現金自動預払装置とからなる現金自動預払システムであって，
通帳を検知して口座番号を読み取り、未記帳データを通帳に記帳する通帳取扱手段と、
通帳を検知すると刻時を開始して所定時間の経過を検出する記帳監視手段と，
センタ装置に未記帳デ−タの送出を要求し，未記帳デ−タを受信する制御手段と，
を現金自動預払装置が有する現金自動預払システム。
【請求項２】
取引デ−タを保持するセンタ装置と，取引を受け付ける、１以上の現金自動預払装置とからなる現金自動預払システムの現金自動預払装置であって，
通帳を検知して口座番号を読み取り、未記帳データを通帳に記帳する通帳取扱手段と、
通帳を検知すると刻時を開始して所定時間の経過を検出する記帳監視手段と，
センタ装置に口座番号を通知して該口座番号で指定される口座の未記帳デ−タの送出を要求し，未記帳デ−タを受信する制御手段と，
を有する現金自動預払装置。
【請求項３】
要求を入力する入力手段を備え、
所定時間経過する前に要求が入力されると、制御手段が該要求に応じた処理を行うことを特徴とする請求項２に記載の現金自動預払装置。
【発明の詳細な説明】
【０００１】
【発明の属する技術分野】
本発明は、金融機関に対する取引を受け付ける現金自動預払システム及び装置に関する。
【０００２】
近年、人々の生活が多忙化し金融機関のサ−ビスが多様化するようになってくると，預金の預入や払戻など金融機関との取引を通帳なしで行うことが多くなってきている。
【０００３】
金融機関では取引に関わる履歴をセンタ装置に記録しているが，金融機関を利用する人々は通帳なしで取引を行った場合，預金や払戻の記録がないため口座の残高が分からないという問題がある。
【０００４】
そこで，預金や払戻などの取引を行わない場合であっても取引の記録を通帳に記帳出来る必要があった。
【０００５】
【従来の技術】
一般に、現金自動預払システムは取引の記録を保持するセンタ装置と、預金の預入や払戻し等の処理を受け付ける１台以上の現金自動預払装置とから構成される。
【０００６】
現金自動預払装置は分散設置され、人間の接近を検知するセンサと、操作を案内する表示部と、操作に要する時間を時間監視する監視タイマと、通帳から口座番号を読み取り、通帳に未記帳データを記帳する通帳取扱部と、処理を入力する入力部と、現金を取り込んで金額が正しいことを確認する現金取扱部と、センタ装置に口座番号を通知して処理を要求し、センタ装置から未記帳データを受信する制御部とを有して、遠隔地に設置されたセンタ装置とネットワークを介して接続され、利用者の身近な所で利用できるようになっている。
【０００７】
現金自動預払システムは、一般的に預金、払戻、振込、記帳等の処理（以下、「処理」と略す。）を通帳の有無に関わらず行うが、以下の説明では図６〜図７を参照しながら預金と記帳とを行う場合を例として説明する。
【０００８】
現金自動預払装置は、センサが人間の接近を検知すると表示部が処理を案内する画面を表示する。一般的には預金、払戻、振込、記帳等の処理を案内するが、本例の場合は、預金と記帳のいずれを選択するか案内する画面を表示し、同時に選択に要する時間を時間監視する監視タイマを起動する。（ステップＳ０１〜Ｓ０３）
監視タイマがタイムアウトする前に入力部を介して記帳処理が選択されるとステップＳ１７に進み、預金処理が選択されるとステップＳ０７に進む。監視タイマがタイムアウトすると処理を終了する。（ステップＳ０４〜Ｓ０６）
預金処理を選択した場合には、表示部が預金額の入力を案内する画面を表示し、同時に操作時間を監視する監視タイマを起動する。（ステップＳ０７〜Ｓ０８）
入力部を介して預金額が入力されるとステップＳ１１に進み、監視タイマがタイムアウトすると処理を終了する。（ステップＳ０９〜Ｓ１０）
預金額が入力された場合には、表示部が現金の投入を案内する画面を表示し、同時に操作時間を監視する監視タイマを起動する。（ステップＳ１１〜Ｓ１２）
現金取扱部に現金がセットされるとステップＳ１５に進み、監視タイマがタイムアウトすると処理を終了する。（ステップＳ１３〜Ｓ１４）
投入された現金が預金額通りであることを現金取扱部が確認すると、制御部は口座番号と預金額とをセンタ装置に通知し、取引ＤＢへの記録を指示する。
【０００９】
取引ＤＢは、第３図に示すような顧客情報（顧客の名称、住所、取引の扱店、口座番号），取引額（預払日，預入額，払戻額），取引内容が記帳済であるか未記帳であるかを示す未記帳フラグ）から構成されたデータベースである。
【００１０】
センタ装置は取引ＤＢへの記録指示を受けると、取引ＤＢの該口座番号で指定される口座に該預金額を未記帳データとして記録する。（ステップＳ１５〜Ｓ１６）
表示部は通帳のセットを案内する画面を表示し、同時に操作時間を監視する監視タイマを起動する。（ステップＳ１７〜Ｓ１８）
通帳取扱部に通帳がセットされるとステップＳ２１に進み、監視タイマがタイムアウトすると処理を終了する。（ステップＳ１９〜Ｓ２０）
通帳取扱部は通帳から口座番号を読み取り、制御部が該口座番号をセンタ装置に通知して未記帳データの送出を要求する。センタ装置は処理部が取引ＤＢの該口座番号で指定される口座から未記帳データを読み出して現金自動預払装置に送出し、該未記帳データを記帳済とする。（ステップＳ２１〜Ｓ２２）
制御部はセンタ装置から未記帳データを受信して通帳取扱部に転送する。通帳取扱部は該未記帳データを通帳に記帳し、通帳を排出して処理を終了する。（ステップＳ２３）
【００１１】
【発明が解決しようとする課題】
しかしながら、単に記帳を目的として現金自動預払システムを使おうと思った場合であっても、案内に従って一歩一歩手順を踏んだ入力処理を行わなければならないという問題があった。
【００１２】
本発明は、通帳の所持者は預金が目的で現金自動預払装置を利用する場合であっても最終的には通帳に記帳する点に着目し、入力処理を必要とせずに記帳処理出来る現金自動預払システムを提供することを目的とする。
【００１３】
【課題を解決するための手段】
本発明の現金自動預払システムについて、図１を参照しながら説明する。
【００１４】
現金自動預払システムは、一般に、各地域に分散して設置され処理を受け付けると共に処理結果を出力する１以上の現金自動預払装置１と、ネットワークを介して現金自動預払装置１から要求された処理を行い、処理結果を現金自動預払装置１に通知するセンタ装置２とから構成される。
【００１５】
本発明の現金自動預払装置１は、通帳を検知して口座番号を読み取り、未記帳データを記帳する通帳取扱手段１１と、
処理を指定し、入金額を入力する入力手段１２と、
現金を取り込んで入金額と比較する現金取扱手段１３と、
通帳を検知すると刻時を開始し，所定時間経過したことを検出する記帳監視手段１４と，
所定時間経過するとセンタ装置２に未記帳デ−タの送出を指示し，未記帳デ−タを受信して通帳への記帳を指示する制御手段１５と，を備える。
【００１６】
センタ装置２は、取引情報を保持する取引情報保持手段２１と、現金自動預払装置からの要求を受け付け、現金自動預払装置１に対して応答を返す処理手段２２とを備える。
【００１７】
通帳取扱手段１１は現金自動預払装置１に通帳がセットされたことを検出すると、記帳監視手段１４を起動し、通帳から口座番号を読み取る。
【００１８】
その後、記帳監視手段１４は預金の指定が入力されるか否か一定時間時間監視を行い、一定時間経過しても預金の指定が入力されなかった場合には制御手段１５に口座番号を転送する。
【００１９】
制御手段１５は口座番号をセンタ装置２に通知し、未記帳データの送出を要求する。
【００２０】
センタ装置２が現金自動預払装置１からの未記帳データの送出要求を受けると、処理手段２２は取引情報保持手段２１から該口座番号の口座から未記帳データを読み出し、現金自動預払装置１に送出し、また該未記帳データを記帳済みとして取引情報保持手段２１に記録する。
【００２１】
現金自動預払装置１が未記帳データを受信すると、制御手段１５は未記帳データを通帳取扱手段１１に転送する。通帳取扱手段１１は該未記帳データを通帳に記帳し、記帳が完了すると通帳を排出して処理を終了する。
【００２２】
また、記帳監視手段１４が一定時間の間預金の指定が入力されるか否か待っている間に入力手段１２を介して預金が指定されると、記帳監視手段１４は時間監視を停止する。
【００２３】
そして、入力手段１２から預入額が入力され、現金が現金取扱手段１３にセットされると、現金取扱手段１３は金額を確認して口座番号と預入額とを制御手段１５に通知する。
【００２４】
制御手段１５は口座番号と預入額の通知を受けると該口座番号と預入額とをセンタ装置２に通知して、取引情報保持手段２１に記録するように要求する。
【００２５】
センタ装置２が口座番号と預入額を受信すると、処理手段２２は取引情報保持手段２１の該口座番号で指定される口座へ預入額を未記帳データとして登録する。
【００２６】
現金自動預払装置１はセンタ装置２に対して預金の登録を要求すると、再び制御手段１５に口座番号を転送する。制御手段１５は口座番号をセンタ装置２に通知して未記帳データの送出を要求する。
【００２７】
センタ装置２が現金自動預払装置１から未記帳データの送出要求を受けると、処理手段２２は取引情報保持手段２１の該口座番号で指定される口座から未記帳データを読み出して現金自動預払装置１に送出し、また該未記帳データを記帳済みとして記録する。
【００２８】
現金自動預払装置１がセンタ装置２から未記帳データを受信すると、制御手段１５は該未記帳データを通帳取扱手段１１に転送し、通帳取扱手段１１は該未記帳データを通帳に記帳し、記帳が完了すると通帳を排出して処理を終了する。
【００２９】
【発明の実施の形態】
本発明の実施の形態について、図２〜図５を参照しながら説明する。
【００３０】
現金自動預払システムは図２に示す如く、センタ装置２と１以上の現金自動預払装置１とから構成される。
【００３１】
センタ装置２は、図３に示す様な取引情報を保持する取引データファイル（以下、「取引ＤＢ」という。）２１０と、口座番号と預入額とを受信して取引ＤＢ２１０へ未記帳データとして登録し、口座番号を受信して取引ＤＢ２１０から未記帳データを読み出して出力する処理部２２０とを備え、
現金自動預払装置１は、人間の接近を検知するセンサ１００と、操作を案内する画面を表示する表示部１０２と、指示の入力までの時間を監視する監視タイマ１０１と、現金自動預払装置１に対する指示を入力する入力部１２０と、通帳から口座番号を読み取り、未記帳データを通帳に記録する通帳取扱部１１０と、現金を取り込んで預金額と一致することをチェックする現金取扱部１３０と、口座番号を送信して未記帳データを要求し、要求に応じて送信された未記帳データを受信して通帳取扱部１１０に転送し、口座番号と預金額とを送信して取引ＤＢ２１０への記録を要求する制御部１５０とを備える。
【００３２】
次に、図４〜図５を参照しながら現金自動預払システムの処理の流れを説明する。
【００３３】
現金自動預払装置１は、センサ１００が人間の接近を監視している。そして、人間の接近を検知すると表示部１０２が処理を案内する画面を表示し、監視タイマ１０１を起動する。（ステップＳ０１〜Ｓ０３）
現金自動預払装置１は、監視タイマ１０１がタイムアウトする前に通帳取扱部１１０に通帳がセットされたことを検出するとステップＳ０７に進み、預入額が入力されたことを検出するとステップＳ１３に進み、監視タイマがタイムアウトした場合には処理を終了する。（ステップＳ０４〜Ｓ０６）
現金自動預払装置１は、記帳タイマ１４０を起動し、通帳取扱部１１０が通帳から口座番号を読み取る。（ステップＳ０７〜Ｓ０８）
現金自動預払装置１は、表示部１０２が「預金処理であれば、預金額を入力する」ように案内する画面を表示し、記帳タイマ１４０がタイムアウトするまで、タイマの残り時間を前記画面に表示する。記帳タイマ１４０がタイムアウトする前に預金額が入力された場合にはステップＳ１３に進み、記帳タイマ１４０がタイムアウトした場合には処理を終了する。（ステップＳ０９〜Ｓ１２）
現金自動預払装置１は、表示部１０２が現金の投入を案内する画面を表示し、監視タイマ１０１を起動する。そして監視タイマ１０１がタイムアウトする前に現金取扱部１３０にセットされるとステップＳ１７に進み、監視タイマ１０１がタイムアウトすると処理を終了する。（ステップＳ１３〜Ｓ１６）
現金取扱部１３０が入力された預金額通り現金があることを確認すると、制御部１５０は口座番号と預金額とをセンタ装置２に通知して取引ＤＢへの記録を要求する。センタ装置２は処理部２２０が取引ＤＢ２１０の該口座番号で指定される口座へ未記帳データとして記録する。（ステップＳ１７〜Ｓ１８）
現金自動預払装置１では、制御部１５０が口座番号をセンタ装置２に通知して未記帳データの送出を要求する。センタ装置２は、処理部２２０が該要求を受け取引ＤＢ２１０の該口座番号で指定される口座から未記帳データを読み出し、現金自動預払装置１に送出し、該未記帳データを記帳済として記録する。（ステップＳ１９）
現金自動預払装置１では、制御部１５０がセンタ装置２から未記帳データを受信し通帳取扱部１１０に転送する。通帳取扱部１１０は該未記帳データを通帳に記帳し、通帳を排出して処理を終了する。（ステップＳ２０〜Ｓ２１）
【００３４】
【発明の効果】
以上説明した様に、本発明によれば記帳のために現金自動預払装置を利用する場合に入力操作なしに通帳をセットするだけで記帳出来るという効果があり、更に通帳セット後に預入額を入力すればその後の操作をすることなく記帳が出来るという効果がある。
【図面の簡単な説明】
【図１】  本発明の原理図
【図２】  本発明の現金自動預払システムの構成図
【図３】  取引情報を示す図
【図４】  本発明のフローチャート図（その１）
【図５】  本発明のフローチャート図（その２）
【図６】  従来例のフローチャート図（その１）
【図７】  従来例のフローチャート図（その２）
【符号の説明】
１  現金自動預払装置
２  センタ装置
１１  通帳取扱手段
１２  入力手段
１３  現金取扱手段
１４  記帳監視手段
１５  制御手段
２１  取引情報保持手段
２２  処理手段
１００  センサ
１０１  監視タイマ
１０２  表示部
１１０  通帳取扱部
１２０  入力部
１３０  現金取扱部
１４０  記帳タイマ
１５０  制御部
２１０  取引データベース（「取引ＤＢ」と略す。）
２２０  処理部
【図１】
0003899729.tif 000002
【図２】
0003899729.tif 000003
【図３】
0003899729.tif 000004
【図４】
0003899729.tif 000005
【図５】
0003899729.tif 000006
【図６】
0003899729.tif 000007
【図７】
0003899729.tif 000008